(57)【特許請求の範囲】
【請求項１】
所定間隔でラック歯が長手方向に沿って等間隔で配列されたラック歯列を有する平板状のベルト部と、当該ベルト部の基端側に連結された操作部と、を備えたラックベルトにおいて、
前記ラック歯列は、前記ベルト部の相対する２つの面に形成され、２つの面に形成された前記ラック歯列の実効的な長さが互いに異なっていることを特徴とするラックベルト。
【請求項２】
前記ベルト部の２つの面に形成された前記ラック歯列の基端側の端部は、前記ベルト部の長手方向の同じ位置に存在していることを特徴とする請求項１に記載のラックベルト。
【請求項３】
請求項１又は請求項２に記載の前記ラックベルトと、このラックベルトの引き操作によって駆動される発射装置本体とを備えることを特徴とするコマ発射装置。
【発明の詳細な説明】
【技術分野】
【０００１】
本発明は、ラックベルト及びコマ発射装置に関するものである。
【背景技術】
【０００２】
従来、コマ発射装置においては、コマに回転力を付与するため、例えばラックベルトが使用されている。
このラックベルトは、例えば、所定間隔でラック歯が長手方向に沿って配列されたラック歯列が形成された平板状のベルト部と、このベルト部の基端側に連結された操作部とを備えている（例えば、特許文献１参照）。ここで、ラック歯列は、ベルト部の一つの面に形成されている。
【先行技術文献】
【特許文献】
【０００３】
【特許文献１】特開２００７−１１１１４４公報
【発明の概要】
【発明が解決しようとする課題】
【０００４】
しかしながら、ベルト部の一つの面だけにラック歯列が形成されているものでは、一々、ラック歯列が形成されている面を確認した後、どちらに当該面を向けるのかを判断した上で、ラックベルトをコマを装着した発射装置本体の開口から差し込む必要があり、面倒である。この場合、後者の「どちらに当該面を向けるのかを判断」にあっては、ラック歯列が形成されている平板状ベルトなので、上か下か、又は左か右かというように２者択一となる場合が多い。
また、近年、バトル用のコマとして、軸部に種々の工夫を凝らしたコマが出現している。例えば、コマの軸部の先端部は、プラスチックや金属等によって形成されているのが普通であったが、近年、軸部の先端部をゴムにしたコマが出現している。これにより、プラスチックや金属等で軸部の先端部が形成されたコマに比べて、遊戯面に対するグリップ力が増大し、より動きの激しい攻撃力の高いコマが実現される。しかし、一方、このコマは、持続性の点では、プラスチックや金属等で軸部の先端部が形成されたコマに比べて劣る。
このようにして、コマのバトルに動作特性が異なるコマを登場させることにより、ゲームとしての多様性が増し、よりゲームを楽しめる。
したがって、遊戯者は、バトルにあたり、動作特性が異なる複数のコマを収集し、相手方のコマや遊戯面に適応したコマを選択して使用しようとする。
一方、コマに回転力を付与するコマ発射装置の方は、動作特性が異なる複数のコマに対しても同じものを使用しているのが一般的である。
しかしながら、動作特性が異なる複数のコマを同じコマ発射装置を使用して発射させると次のような問題が生じる場合がある。
コマの発射は、ラックベルトを、コマを装着した発射装置本体の開口から差し込み、手前側に引くことにより行われる。そして、この場合、コマの動作特性に拘わらず、ラックベルトを発射装置本体の奥深くまで差し込み、可能な限り速く引こうとするのが普通である。
ところが、軸部の先端部がゴムで形成されたコマのように遊戯面に対するグリップ力が高いものである場合、遊戯盤の大きさや形状にもよるが、動き回り過ぎて遊戯盤から飛び出してしまったり相手方のコマとなかなか当たらなかったりと、バトルの進行に支障を来す場合がある。
そこで、軸部の先端部がゴムで形成されたコマの場合には、ラックベルトの発射装置本体への初期の差込み量を小さくしたり、ラックベルトの引きの速度を遅くしたりするなど、ラックベルトの操作を加減することが必要とされていた。
しかしながら、このようにラックベルトの操作加減を調整することは面倒である。
【０００５】
本発明は、かかる問題点に鑑みなされたもので、主たる課題は、ラックベルトの取扱いが簡単に行えるラックベルト及びコマ発射装置を提供することにある。また、本発明の他の課題は、同じ操作によって互いに異なる２つの動力を付与することができるラックベルト及びコマ発射装置を提供することである。
【課題を解決するための手段】
【０００６】
請求項１に記載のラックベルトは、
所定間隔でラック歯が長手方向に沿って等間隔で配列されたラック歯列を有する平板状のベルト部と、当該ベルト部の基端側に連結された操作部と、を備えたラックベルトにおいて、
前記ラック歯列は、前記ベルト部の相対する２つの面にそれぞれ形成され、２つの面に形成された前記ラック歯列の実効的な長さが互いに異なっていることを特徴とする。
ここで、「相対する面」とは、平板状のベルト部のうち、平板状のベルト部の幅広で表面が互いに反対側を向く面であってもよいし、狭幅で表面が互いに反対側を向く面であってもよい。
【０００８】
請求項２に記載のラックベルトは、請求項１に記載のラックベルトにおいて、前記ベルト部の２つの面に形成された前記ラック歯列の基端側の端部は、前記ベルト部の長手方向の同じ位置に存在していることを特徴とする。
【０００９】
請求項３に記載のコマ発射装置は、請求項１又は請求項２に記載の前記ラックベルトと、このラックベルトの引き操作によって駆動される発射装置本体とを備えることを特徴とする。
【発明の効果】
【００１０】
請求項１に記載のラックベルトによれば、ラック歯列は、ベルト部の相対する２つの面にそれぞれ形成されているので、どちらにラック歯列が形成された面を向けるのかの２者択一の判断を必要としないので、ラックベルトの取扱いが簡単に行えることになる。
また、ラックベルトの両面に長さの異なるラック歯列が形成されているので、ラック歯列の選択によって、同じ操作をしても異なる動力を付与することができる。これによって、例えば、動作特性の異なるコマに適切な回転力を付与することができる。
【００１２】
請求項２に記載のラックベルトによれば、ベルト部の２つの面に形成されたラック歯列の基端側の端部は、ベルト部の長手方向の同じ位置に存在しているので、ラックベルトを発射装置本体の奥深くまで差し込んで引いた場合でも、各ラック歯列の長さに対応した動力を付与することができる。したがって、ラックベルトの操作が容易となる。また、この場合、ベルト部の先端側の端部の位置が異なることになるので、視覚上で２つのラック歯列を簡単に識別することができる。
【００１３】
請求項３に記載のコマ発射装置によれば、ラック歯列は、ベルト部の相対する２つの面にそれぞれ形成されているので、どちらにラック歯列が形成された面を向けるのかの２者択一の判断を必要としないので、ラックベルトの取扱いが簡単に行えることになる。また、ラックベルトの両面に長さの異なるラック歯列が形成されているものでは、ラック歯列の選択によって、同じ操作をしても異なる動力を付与することができる。これによって、例えば、動作特性の異なるコマに適切な回転力を付与することができる。
【図面の簡単な説明】
【００１４】
【図１】実施形態のラックベルトを持つ発射装置及びコマ玩具を示した斜視図である。
【図２】図１の発射装置を下方から見た斜視図である。
【図３】図１の発射装置の内部構造の一部を示した斜視図である。
【図４】図１のラックベルトを示した図である。
【発明を実施するための形態】
【００１５】
以下、図面に基づいて、本発明を実施するための形態を具体的に説明する。
【００１６】
（全体構成）
図１はコマ発射装置１を示している。このコマ発射装置１は、ラックベルト１０と発射装置本体４０とを備えている。
ここでラックベルト１０は、ベルト部１１と操作部１２とを備えている。操作部１２はベルト部１１の基端側に連結されている。
そして、このコマ発射装置１では、ラックベルト１０を、コマ３０を装着した発射装置本体４０の開口４０ａから差し込み、手前側に引くことにより、コマ３０に回転力が付与された状態で、コマ３０が発射装置本体４０から発射される。
【００１７】
（細部）
１．コマ３０について
コマ３０は軸部３１と胴部３２とを備えている。コマ３０の胴部３２の上面は僅かに上方に向けて膨らんではいるがほぼフラットに形成されている。このコマ３０の胴部３２の上面には、中心軸を挟んで対向する部分に当該中心軸に向けて凹となる一対の弧状溝３２ａ，３２ａが形成されている。また、各弧状溝３２ａの一端側には舌片状の突起３２ｂが設けられている。各弧状溝３２ａは突起３２ｂ側の端部から反対側の端部に向けて溝幅が狭くなっている。
【００１８】
２．発射装置本体４０について
発射装置本体４０は概ね直方体に形成されている。
図２に示すように、この発射装置本体４０の底面側には回転可能な円板４１が設けられている。この円板４１には、コマ３０の一対の弧状溝３２ａ，３２ａに対応する位置にフォーク４２，４２が形成されている。
各フォーク４２の一方の側縁４２ａは円板に対してほぼ垂直方向に延び、他方の側縁４２ｂは円板に対して傾斜している。
また、各フォーク４２の内面には突起４２ｃが形成されている。この突起４２ｃは、コマ３０を発射装置本体４０に装着した際に、弧状溝３２ａにおける突起３２ｂとは反対側の端部位置で弧状壁３２ａの縁の裏面に係合する。一方、突起４２ｃは、コマ３０を発射装置本体４０から発射する直前には、弧状溝３２ａにおける突起３２ｂ側の端部位置で弧状壁３２ａの縁の裏面との係合を解除する。
【００１９】
発射装置本体４０には、上面に扇形の窓４３が形成されている。そして、この窓４３，からは後述の円板４４の白黒模様４４ａの一部を見通せるようになっている。この円板４４の白黒模様４４ａは円板４４の回転速度を測るために使用されるものであるが、その説明は省略する。
また、図１に示すように、発射装置本体４０の前面にはラックベルト１０を導入するための矩形の開口４０ａが形成されている。この開口４０ａの縁にはラックベルト１０のガイド用の突起４０ｂが形成されている。一方、図２に示すように、発射装置本体４０の後面にはラックベルト１０を導出するための矩形の開口４０ｃが形成されている。この開口４０ｃの縁にも、突起４０ｂと同様のラックベルト１０のガイド用の突起が形成されていてもよい。
【００２０】
図３に示すように、発射装置本体４０の内部には、ラックベルト１０のラック歯１１５と噛合可能な歯車４６が設けられている。この歯車４６の上には円板４４が設置されている。また、歯車４６の下には円板４１が設けられている。
一方、円板４４の外周には円周方向に所定間隔で鋸刃状の歯４４ｂが形成され、円板４４は爪車を構成している。この円板４４の隣には爪部材４７が設けられている。爪部材４７は軸４７ｃを中心に回動する。爪部材４７と爪車とは回転停止機構を構成している。この爪部材４７には、ラックベルト１０の挿入の際にラックベルト１０に押圧されて爪部材４７の爪４７ａを円板４４から離間させて円板４４の回転を許容する被押圧部４７ｂが形成されている。この爪部材４７は図示しないトーションスプリングによって円板４４の方向に付勢されている。そして、ラックベルト１０が引き出された際には、爪部材４７の爪４７ａが円板４４の歯４４ｂに噛合する。これによって、歯車４６の所定方向への回転が阻止される。
【００２１】
３．ラックベルト１０について
図４（Ａ）はラックベルト１０の一方の面を示し、図４（Ｂ）はラックベルト１０の他方の面を示している。このラックベルト１０は大別してベルト部１１と操作部１２とから構成されている。
図４（Ａ）に示すように、ベルト部１１の一方の面には上記歯車４６に噛合可能なラック歯１１５ａが長手方向に沿って等間隔で列設されている。この列設されたラック歯１１５ａはラック歯列Ｒ１を形成している。ラック歯列Ｒ１は長尺となっている。また、このベルト部１１の一方の面には、長手方向に沿って上記突起４０ｂが挿入されるガイド溝１１６ａが形成されている。
一方、図４（Ｂ）に示すように、ベルト部１１の他方の面には上記歯車４６に噛合可能なラック歯１１５ｂが長手方向に沿って等間隔で列設されている。この列設されたラック歯１１５ｂはラック歯列Ｒ２を形成している。ラック歯列Ｒ２は短尺となっている。また、このベルト部１１の他方の面には、長手方向に沿って上記突起４０ｂが挿入されるガイド溝１１６ｂが形成されている。
ここで、「長尺」及び「短尺」というのは、ラック歯列の実効的な長さで見た場合の長短を意味している。この場合の「実効的な長さ」とは、有効に機能を発揮するラック歯列の長さを指す。換言すれば、歯が形成されてはいるが、その歯がラック歯として機能しないものは除外される。実施形態では、実効的な長さのラック歯列Ｒ１，Ｒ２が形成されている。すなわち、ラックベルト１０を発射装置本体４０に奥深くまで差し込み、ラックベルト１０の操作部１２が発射装置４０の壁に突き当たった際に、ラック歯列Ｒ１又はラック歯列Ｒ２の操作部１２側の最も端にあるラック歯１１５ａ又はラック歯１１５ｂが歯車４６に噛合する。したがって、この状態からラックベルト１０を引き出すと、ラック歯列Ｒ１又はラック歯列Ｒ２の全てのラック歯１１５ａ又はラック歯１１５ｂが歯車４６に噛合する。
【００２２】
操作部１２は、図１及び図４に示すように、ベルト部１１の軸線に対して直交する方向に延在する指掛け部１２０を有している。この指掛け部１２０には操作部１２の軸部１２１を挟んで同時に２本の指（例えば人差し指と中指）が掛けられる。
【００２３】
４．遊び方
先ず、発射装置本体４０のフォーク４２，４２をコマ３０の弧状溝３２ａ，３２ａに挿入し所定方向に回転されることによって発射装置本体４０にコマ３０を装着する。この状態で、ラックベルト１０を開口４０ａ側から深く差し込んで、強く手前側に引いて円板４１を回転させる。これによって、コマ３０も一緒に回転する。そして、ラックベルト１０を引き出すと、歯４４ｂに爪部材４７の爪４７ａが係合して円板４１の回転が止まる。一方で、コマ３０は慣性力によって回転を継続しようとする。その結果、弧状溝３２ａにおける突起３２ｂ側の端部位置で、突起４２ｃと弧状溝３２ａの縁の裏面との係合が解除されるとともに、各フォーク４２の側縁４２ｂが傾斜面となっているため、コマ３０の突起３２ｂがこの側縁４２ｂに摺接しつつ下方に移動することで、遂には、フォーク４２，４２とコマ３０との係合が解除され、コマ３０が発射される。
この場合、ラック歯列Ｒ１，Ｒ２の先端にあたっては、コマ３０の動作特性に応じて使用するラック歯列を選択する。ラック歯列Ｒ１を選択するのは、大きく暴れないコマ３０の場合であり、ラック歯列Ｒ２を選択するのは、大きく暴れるコマ３０の場合である。或いは、この選択は、２人のプレイヤでハンディを付ける場合に行われてもよい。例えば、２人のプレイヤが大人と子供の場合に、ラックベルト１０の引き速度が大きい大人がラック歯列Ｒ２を使用し、引き速度が小さい子供がラック歯列Ｒ１を使用するなどである。
【００２４】
（発明の変形例）
以上、本発明の実施形態について説明したが、本発明は、かかる実施形態に限定されず、その要旨を逸脱しない範囲で種々変形可能である。
【００２５】
例えば、上記実施形態では、コマ回転用のラックベルト１０について説明したが、操作加減を必要とする他の用途のラックベルト１０にも適用できる。
また、ラック歯列Ｒ１とラック歯列Ｒ２とは長さの違いにより、視覚的な区別が可能となっているので、その選択が容易であるが、その他、操作部１２又はベルト部１１に識別のためのマークや文字を付けておいてもよいし、操作部１２又はベルト部１１の色を変えておいてもよい。
【符号の説明】
【００２６】
１    コマ発射装置
１０  ラックベルト
１１  ベルト
１１ａ  ベルト部
１２  操作部
３０  コマ
４０  発射装置本体
１１５ａ，１１５ｂ  ラック歯
【要約】
【課題】取扱いが簡単に行えるラックベルト及びコマ発射装置を提供すること。
【解決手段】所定間隔でラック歯１１５ａ，１１５ｂが長手方向に沿って等間隔で配列されたラック歯列Ｒ１，Ｒ２を有する平板状のベルト部１１と、当該ベルト部１１の基端側に連結された操作部１２と、を備えたラックベルト１０において、
前記ラック歯列Ｒ１，Ｒ２は、前記ベルト部１１の相対する２つの面に形成されていることを特徴とする。
【選択図】図４【図１】
0005990353.tif 000002
【図２】
0005990353.tif 000003
【図４】
0005990353.tif 000004
【図３】
0005990353.tif 000005